(57)【要約】【課題】表示不具合を低減すること。【解決手段】駆動装置は、光源からの光を変調するための複数の画素を有する電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なる駆動手段と、前記第１期間および前記第２期間のうち長い方の一部において、前記光源を消灯させる制御を行う光源制御手段とを有する。【選択図】図１０
2014160110.tif 000002
【特許請求の範囲】
【請求項１】
光源からの光を変調するための複数の画素を有する電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なる駆動手段と、
前記第１期間および前記第２期間のうち長い方の一部において、前記光源を消灯させる制御を行う光源制御手段と
を有する駆動装置。
【請求項２】
前記光源制御手段は、前記光源が一定の周期で点灯するように前記制御を行う
ことを特徴とする請求項１に記載の駆動装置。
【請求項３】
前記光源制御手段は、前記映像信号が動画を示している場合に前記制御を行う
ことを特徴とする請求項１または２に記載の駆動装置。
【請求項４】
前記光源制御手段は、与えられた条件に応じて前記第１期間および前記第２期間の時間比を変更し、
少なくとも前記時間比の可変範囲に応じて決められる時間は前記光源を点灯するように前記制御を行う
ことを特徴とする請求項１ないし３のいずれか一項に記載の駆動装置。
【請求項５】
前記光源制御手段は、前記第１期間および前記第２期間の最小値以上の時間は前記光源を点灯するように前記制御を行う
ことを特徴とする請求項４に記載の駆動装置。
【請求項６】
前記電気光学パネルにおけるフリッカーを検出する検出手段を有し、
前記光源制御手段は、前記検出手段による検出結果に応じて前記時間比を変更する
ことを特徴とする請求項４または５に記載の駆動装置。
【請求項７】
前記光源制御手段は、前記第１期間において前記光源が点灯している時間と前記第２期間において前記光源が点灯している時間が等しくなるように、前記制御を行う
ことを特徴とする請求項１ないし６のいずれか一項に記載の駆動装置。
【請求項８】
光源と、
前記光源からの光を変調するための複数の画素を有する電気光学パネルと、
前記電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なる駆動手段と、
前記第１期間および前記第２期間のうち長い方の一部において、前記光源を消灯させる制御を行う光源制御手段と
を有する表示装置。
【請求項９】
請求項８に記載の表示装置を有する電子機器。
【請求項１０】
光源からの光を変調するための複数の画素を有する電気光学パネルを映像信号に応じて駆動し、当該駆動において正極性の電圧を印加する第１期間と負極性の電圧を印加する第２期間とを含む所定の期間の電圧印加を繰り返し、前記第１期間と前記第２期間との長さが異なるステップと、
前記第１期間および前記第２期間のうち長い方の一部において、前記光源を消灯させる制御を行うステップと
を有する電気光学装置の駆動方法。
【発明の詳細な説明】
【技術分野】
【０００１】
本発明は、表示不具合を改善する技術に関する。
【背景技術】
【０００２】
液晶等の電気光学素子を用いた電気光学装置において、直流電圧が印加され続けると電気光学素子が劣化してしまうことが知られている。劣化を防ぐため、一般に電気光学素子は交流駆動される。例えば液晶装置においては、液晶層を挟む画素電極基板と対向電極基板との物理的な構造が異なるため、例えば対向電極の電位を基準として正極性電圧が印加された場合と負極性電圧が印加された場合とでは、電極と配向膜との界面や配向膜と液晶層等との界面における抵抗値が異なってしまう。たとえ正極性電圧および負極性電圧の実効電圧が等しくても、電流量すなわち電荷の移動量に非対称性が生じる。電荷の移動量の非対称性により、液晶内部の電荷に偏りが生じて内部電界が発生する。内部電界の影響により、実際に液晶層に印加される電圧が正極性と負極性とで非対称となり、直流成分を含んでしまう。この問題に対処するため、特許文献１は、正極性電圧を印加する期間および負極性電圧を印加する期間の時間比を調整することを開示している。
【先行技術文献】
【特許文献】
【０００３】
【特許文献１】特開２０１０−７９１５１号公報
【発明の概要】
【発明が解決しようとする課題】
【０００４】
例えば中間フレーム生成などにより動画質の改善を行う技術のように、正極性電圧を印加する期間と負極性電圧を印加する期間において異なる画像が表示される場合、特許文献１の技術によっても、例えば等速で移動しているはずの図形が等速で移動しているように見えなくなるといった表示不具合が発生する可能性がある。
これに対し本発明は、上記の表示不具合を低減する技術を提供する。
【課題を解決するための手段】
【０００５】
本発明は、光源からの光を変調するための複数の画素を有する電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なる駆動手段と、前記第１期間および前記第２期間のうち長い方の一部において、前記光源を消灯させる制御を行う光源制御手段とを有する駆動装置を提供する。
この駆動装置によれば、第１期間および第２期間の長さが違うことに起因する表示不具合を低減することができる。
【０００６】
前記光源制御手段は、前記光源が一定の周期で点灯するように前記制御を行ってもよい。
この駆動装置によれば、光源が点灯する周期を一定にすることができる。
【０００７】
前記光源制御手段は、前記映像信号が動画を示している場合に前記制御を行ってもよい。
この駆動装置によれば、動画において第１期間および第２期間の長さが違うことに起因する表示不具合を低減することができる。
【０００８】
前記光源制御手段は、与えられた条件に応じて前記第１期間および前記第２期間の時間比を変更し、少なくとも前記時間比の可変範囲に応じて決められる時間は前記光源を点灯するように前記制御を行ってもよい。
この駆動装置によれば、条件に応じて第１期間および第２期間の時間比が変更される装置における表示不具合を低減することができる。
【０００９】
前記光源制御手段は、前記第１期間および前記第２期間の最小値以上の時間は前記光源を点灯するように前記制御を行ってもよい。
この駆動装置によれば、光源が点灯する時間が第１期間および第２期間の最小値よりも短い場合と比較して、より明るい画像を表示することができる。
【００１０】
この駆動装置は、前記電気光学パネルにおけるフリッカーを検出する検出手段を有し、前記光源制御手段は、前記検出手段による検出結果に応じて前記時間比を変更してもよい。
この駆動装置によれば、電気光学パネルにおいて検出されたフリッカーに応じて時間比が変更される装置における表示不具合を低減することができる。
【００１１】
前記光源制御手段は、前記第１期間において前記光源が点灯している時間と前記第２期間において前記光源が点灯している時間が等しくなるように、前記制御を行ってもよい。
この駆動装置によれば、第１期間において光源が点灯している時間と第２期間において光源が点灯している時間が異なっている場合と比較して、表示不具合をより低減することができる。
【００１２】
また、本発明は、光源と、前記光源からの光を変調するための複数の画素を有する電気光学パネルと、前記電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なる駆動手段と、前記第１期間および前記第２期間のうち長い方の一部において、前記光源を消灯させる制御を行う光源制御手段とを有する表示装置を提供する。
【００１３】
さらに、本発明は、上記の表示装置を有する電子機器を提供する。
この電子機器によれば、第１期間および第２期間の長さが違うことに起因する表示不具合を低減することができる。
【００１４】
さらに、本発明は、光源からの光を変調するための複数の画素を有する電気光学パネルを映像信号に応じて駆動をし、当該駆動において正極性の電圧を印加する第１期間と負極性の電圧を印加する第２期間とを含む所定の期間の電圧印加を繰り返し、前記第１期間と前記第２期間との長さが異なるステップと、前記第１期間および前記第２期間のうち長い方の一部において、前記光源を消灯させる制御を行うステップとを有する電気光学装置の駆動方法を提供する。
この駆動方法によれば、第１期間および第２期間の長さが違うことに起因する表示不具合を低減することができる。
【図面の簡単な説明】
【００１５】
【図１】液晶表示装置の概略構成を示す図。
【図２】画素１１１の等価回路を示す図。
【図３】駆動回路により出力されるデータ電圧Ｖｄａｔの波形を例示する図。
【図４】最適ＬＣｃｏｍの経時変化を例示する図。
【図５】表示不良を説明する図。
【図６】本実施形態の概要を説明する図。
【図７】一実施形態に係る電子機器１の構成を示す図。
【図８】電子機器１の動作を示すタイミングチャート。
【図９】電子機器１の動作を示すフローチャート。
【図１０】本実施形態に係る光源の点灯制御を示すタイミングチャート。
【図１１】変形例４に係る光源４０の点灯および消灯のタイミング制御を示す。
【図１２】変形例５に係る光源４０の点灯および消灯のタイミング制御を示す。
【発明を実施するための形態】
【００１６】
１．概要
本実施形態は、正極性電圧を印加する期間および負極性電圧を印加する期間の時間長が異なる場合に、光源を間欠的に点灯することにより、時間長の違いに起因する表示不具合を低減するものである。以下、まずはこの表示不具合について説明する。
【００１７】
図１は、液晶装置（表示装置）の概略構成を示す図である。この液晶装置は、液晶パネル１００と、走査線駆動回路１３０と、データ線駆動回路１４０とを有する、電気光学装置の一例である。
【００１８】
液晶パネル１００は、供給される信号に応じて画像を表示する装置である。液晶パネル１００は、ｍ行ｎ列のマトリクス状に配置された画素１１１を有する。画素１１１は、走査線駆動回路１３０及びデータ線駆動回路１４０から供給される信号に応じた光学状態を示す。液晶パネル１００は、複数の画素１１１の光学状態を制御することにより画像を表示する。
【００１９】
液晶パネル１００は、素子基板１００ａと、対向基板１００ｂと、液晶１０５とを有する。素子基板１００ａと対向基板１００ｂとは、一定の間隙を保って貼り合わせられている。この間隙に、液晶１０５が挟まれている。
【００２０】
素子基板１００ａは、対向基板１００ｂとの対向面において、ｍ行の走査線１１２およびｎ列のデータ線１１４を有する。走査線１１２はＸ（横）方向に沿って、データ線１１４はＹ（縦）方向に沿って、それぞれ設けられており、互いに絶縁されている。一の走査線１１２を他の走査線１１２と区別するときは、図において上から順に第１、第２、第３、…、第（ｍ−１）、および第ｍ行の走査線１１２という。同様に、一のデータ線１１４を他のデータ線１１４と区別するときは、図において左から順に第１、第２、第３、…、第（ｎ−１）、第ｎ列のデータ線１１４という。画素１１１は、Ｘ軸およびＹ軸に垂直な位置にある視点からみたときに、走査線１１２およびデータ線１１４の交差に対応して設けられている。
【００２１】
図２は、画素１１１の等価回路を示す図である。画素１１１は、ＴＦＴ（Thin Film Transistor）１１６と、液晶素子１２０と、保持容量１２５とを有する。液晶素子１２０は、画素電極１１８と、液晶１０５と、コモン電極１０８とを有する。画素電極１１８は、画素１１１毎に個別に設けられた電極である。コモン電極１０８は、すべての画素１１１に共通の電極である。画素電極１１８は素子基板１００ａに、コモン電極１０８は対向基板１００ｂに、それぞれ設けられている。液晶１０５は、画素電極１１８およびコモン電極１０８に挟まれている。コモン電極１０８には、コモン電圧ＬＣｃｏｍが印加される。
【００２２】
ＴＦＴ１１６は、画素電極１１８への電圧の印加を制御するスイッチング素子の一例であり、この例では、ｎチャネル型の電界効果トランジスターである。ＴＦＴ１１６は、画素１１１毎に個別に設けられている。第ｉ行第ｊ列のＴＦＴ１１６のゲートは第ｉ行の走査線１１２に、ソースは第ｊ列のデータ線１１４に、ドレインは画素電極１１８に、それぞれ接続されている。保持容量１２５は、一端が画素電極１１８に、他端が容量線１１５に、それぞれ接続されている。容量線１１５には、時間的に一定の電圧が印加される。
【００２３】
第ｉ行の走査線１１２にＨ（High）レベルの電圧（以下「選択電圧」という）が印加されると、第ｉ行第ｊ列のＴＦＴ１１６はオン状態となり、ソースとドレインが導通する。このとき、第ｊ列のデータ線１１４に、第ｉ行第ｊ列の画素１１１の階調値（データ）に応じた電圧（以下「データ電圧」という）が印加されると、データ電圧は、ＴＦＴ１１６を介して第ｉ行第ｊ列の画素電極１１８に印加される。
【００２４】
その後、第ｉ行の走査線１１２にＬ（Low）レベルの電圧（以下「非選択電圧」という）が印加されると、ＴＦＴ１１６はオフ状態になり、ソースとドレインは高インピーダンス状態となる。ＴＦＴ１１６がオン状態のとき画素電極１１８に印加された電圧は、液晶素子１２０の容量性および保持容量１２５によって、ＴＦＴ１１６がオフ状態になった後も保持される。
【００２５】
液晶素子１２０には、データ電圧とコモン電圧との電位差に相当する電圧が印加される。液晶１０５の分子配向状態は、液晶素子１２０に印加される電圧に応じて変化する。画素１１１の光学状態は、液晶１０５の分子配向状態に応じて変化する。例えば、液晶パネル１００が透過型のパネルである場合、変化する光学状態は透過率である。
【００２６】
再び図１を参照する。走査線駆動回路１３０は、ｍ本の走査線１１２の中から一の走査線１１２を順次排他的に選択する（すなわち走査線１１２を走査する）回路である。具体的には、走査線駆動回路１３０は、制御信号Ｙｃｔｒに従って、第ｉ行の走査線１１２に、走査信号Ｙｉを供給する。この例で、走査信号Ｙｉは、選択される走査線１１２に対しては選択電圧となり、選択されない走査線１１２に対しては非選択電圧となる信号である。
【００２７】
データ線駆動回路１４０は、ｎ本のデータ線１１４にデータ電圧を示す信号（以下「データ信号」という）を出力する回路である。具体的には、データ線駆動回路１４０は、画像処理回路１０から供給されるデータ信号Ｖｘを、制御信号Ｘｃｔｒに従ってサンプリングし、第１〜第ｎ列のデータ線１１４にデータ信号Ｘ１〜Ｘｎとして出力する。なお、本説明において電圧については、液晶素子１２０の印加電圧を除き、特に明記しない限り図示省略した接地電位を基準（ゼロＶ）として表す。
【００２８】
液晶パネル１００に表示される画像は、所定の周期で書き換えられる。以下、この書き換えの周期を「フレーム」という。例えば、画像が６０Ｈｚで書き換えられる場合、１フレームは約１６．７ｍｓｅｃである。走査線駆動回路１３０が１フレームに１回、ｍ本の走査線１１２を走査し、データ線駆動回路１４０がデータ信号を出力することにより、液晶パネル１００に表示される画像が書き換えられる。
【００２９】
図３は、駆動回路により出力されるデータ電圧Ｖｄａｔの波形を例示する図である。図３において、横軸は時間を、縦軸は電圧を示している。データ電圧Ｖｄａｔは、所定の電位（例えば接地電位）を基準とした電圧である。液晶素子１２０には、画素電極１１８の電位と共通電位ＬＣｃｏｍの電位差に相当する電圧が印加される。液晶素子１２０に電圧を印加する際には、液晶素子１２０におけるフリッカーや焼き付きを防止するため、同じ大きさのデータ電圧を正極性および負極性でそれぞれ書き込むのが理想的である。図３の電位Ｖｃｎｔａは、データ電圧Ｖｄａｔの中心電位を示している。データ電圧の振幅は２Ｖａである。理想的には、中心電位Ｖｃｎｔａと共通電位ＬＣｃｏｍを一致させることにより（Ｖｃｎｔａ＝ＬＣｃｏｍ）、液晶素子１２０に印加される電圧は、最初の期間においては＋Ｖａ、次の期間においては−Ｖａとなる。これにより、正極性電圧と負極性電圧は等しくなり（すなわち印加電圧は正負対称となり）、フリッカーは最小となるはずである。
【００３０】
しかし、実際には、共通電位ＬＣｃｏｍを変化させながらフリッカーを測定すると、フリッカーが最小となる電位は、中心電位Ｖｃよりも低いことがわかる。データ電圧Ｖｄａｔの中心電位Ｖｃと、フリッカーが最小となる共通電位ＬＣｃｏｍ（最適ＬＣｃｏｍ）との差を「ＬＣｃｏｍずれ」といい、ΔＬｃｃｏｍで表す（次式（１））。
ΔＬＣｃｏｍ＝ＬＣｃｏｍ−Ｖｃ  …（１）
である。
【００３１】
初期状態において、ＬＣｃｏｍずれは、画素１１１のＴＦＴ１１６において発生するいわゆるフィードスルー（プッシュダウンまたはプッシュアップともいう）現象によるものである。フィードスルー現象とは、ＴＦＴ１１６のゲート／ソース間電圧がＨレベルからＬレベルに変化したときに、ゲート／ドレイン間の（寄生容量による）容量性結合により、ドレインの電位すなわち画素電極１１８の電位が変化する現象をいう。フィードスルーにより電位が変化する方向は、ＴＦＴ１１６のチャネルの伝導型に依存している。具体的には、ＴＦＴ１１６がｎチャネル型であれば電位は下降し、ｐチャネル型であれば電位は上昇する。
【００３２】
フリッカーを最小にするためには、初期状態において、共通電位ＬＣｃｏｍは、最適ＬＣｃｏｍに設定される。しかし、最適ＬＣｃｏｍは経時変化することが知られている。
【００３３】
図４は、最適ＬＣｃｏｍの経時変化を例示する図である。図４において、縦軸は一定時間経過後の最適ＬＣｃｏｍの変化量（初期状態からの変化）を、横軸は正極性電圧および負極性期間が印加される期間の時間比（以下単に「時間比」という）を示す。時間比が１の場合、正極性電圧が印加される期間と負極性電圧が印加される期間の時間長が等しい。時間比が１を超えている場合、負極性電圧が印加される期間よりも正極性電圧が印加される期間が長いことを示している。時間比が１を下回っている場合、正極性電圧が印加される期間よりも負極性電圧が印加される期間が長いことを示している。また、図４において、（１）および（２）はそれぞれ異なるパネルの特性を示している。すなわち、（１）および（２）はパネルの特性のバラツキの例を示している。図４からわかるように、時間比を調整することにより、最適ＬＣｃｏｍの経時変化を補償することができる（すなわち電荷の蓄積を抑制することができる）。
【００３４】
しかし、パネルの特性によっては、電荷の蓄積を抑制するため、時間比が正極性側または負極性側に大きく偏る場合がある。この場合において、例えばある図形が等速で移動する動画が表示されるとき、等速で移動しているはずの図形が等速で移動しているように見えないという表示不良が発生する場合がある。以下、この表示不良について説明する。
【００３５】
図５は、表示不良を説明する図である。図５において、横軸は時間を示している。図５は、１フレームが２つのフィールドに分割され、第１フィールドで正極性電圧が、第２フィールドで負極性電圧が、それぞれ印加される例を示している。以下の説明において、正極性電圧が印加されるフィールドおよび負極性電圧が印加されるフィールドをそれぞれ、「正極性フィールド」および「負極性フィールド」という。表示画像は、円が等速で移動する動画である。この例では、同画質改善のため中間フレームが生成され、正極性フィールドと負極性フィールドとで異なる画像が表示される。図５（Ａ）は正極性フィールドと負極性フィールドの時間長が等しい例（時間比が１の例）を、図５（Ｂ）は正極性フィールドが負極性フィールドよりも長い例（時間比が１より大の例）を、それぞれ示している。図５（Ａ）にように時間比が１の場合は、円が等速で移動しているように見え、表示不良は発生しない。しかし、図５（Ｂ）のように時間比が偏っている場合（この例では正極性側に偏っている）、正極性電圧から負極性電圧に切り替わったときに高速で、負極性電圧から正極性電圧に切り替わったときに低速で円が移動しているように見える可能性がある。本実施形態は、この問題に対処するものである。
【００３６】
図６は、本実施形態の概要を説明する図である。上記の問題に対処するため、本実施形態においては、正極性フィールドと負極性フィールドのうち少なくとも長い方の一部において、光源を間欠的に消灯させる。
【００３７】
２．構成
図７は、一実施形態に係る電子機器１の構成を示す図である。この例で、電子機器１は、プロジェクターである。電子機器１は、画像処理回路１０（画像処理装置の一例）と、電源２０と、光源駆動回路３０と、光源４０と、液晶パネル１００と、投射レンズ６０と、ＭＣＵ７０とを有する。画像処理回路１０は、入力映像信号Ｖｉｄ−ｉｎに対して画像処理を行う装置である。画像処理回路１０は、入力映像信号Ｖｉｄ−ｉｎに応じて、データ信号Ｖｘおよびその他の制御信号を液晶パネル１００に出力する。電源２０は、光源駆動回路３０等に電力を供給する。光源駆動回路３０は、光源４０を点灯させる装置である。光源４０は、投射の光源となる装置、例えば、高圧水銀ランプ、ハロゲンランプ、若しくはメタルハライドランプなどのランプ、または半導体レーザーなどの固体光源である。液晶パネル１００は、光源４０から照射された光を画像処理回路１０から供給される信号に応じて変調する光変調器である。投射レンズ６０は、液晶パネル１００により変調された光により示される映像をスクリーン（図示略）に投射するレンズである。液晶パネル１００の構成は、図１で説明したとおりである。
【００３８】
この例で、画像処理回路１０は、光源４０の点灯および消灯のタイミングを制御するために、光源制御信号Ｐｃｔｌを光源駆動回路３０に対して出力する。すなわち、画像処理回路１０は、光源４０からの光を変調するための複数の画素１１１を有する電気光学パネル（液晶パネル１００）を映像信号Ｖｉｄ−ｉｎに応じて駆動をする。この駆動において、画像処理回路１０は、正極性の電圧を印加するフィールド（第１期間）と負極性の電圧を印加するフィールド（第２期間）とを含む所定の期間の電圧印加を繰り返す。なおここで、第１期間と第２期間とは時間長が異なる。さらに、画像処理回路１０は、第１期間および第２期間のうち長い方の一部において、光源４０を消灯させる制御を行う光源制御手段の一例である。
【００３９】
３．動作
図８は、電子機器１の動作を示すタイミングチャートである。図８は、１フレームが４つのフィールドに分割される、いわゆる４倍速駆動の例を示している。例えば、映像信号Ｖｉｄ−ｉｎにより示される画像が６０Ｈｚで更新される場合、１フレームは約１６．７ミリ秒である。この場合、データ信号Ｖｘは２４０Ｈｚの信号であり、１フィールドは約４．１７ミリ秒である。
【００４０】
各フィールドにおいて、走査線駆動回路１３０は、ｍ本の走査線１１２を順次排他的に選択する走査信号Ｙｉを出力する。データ線駆動回路１４０は、第ｉ行の走査線１１２が選択されているときに、第ｉ行第１〜ｎ列の画素のデータ信号Ｖｘをサンプリングし、データ信号Ｘ１〜Ｘｎとして出力する。データ信号Ｖｘの電圧は、奇数フィールドにおいて正極性であり、偶数フィールドにおいて負極性である。データ信号Ｖｘは、白表示に相当する電圧Ｖｗおよび黒表示に相当する電圧Ｖｂを含む範囲の電圧を示す。データ信号Ｖｘの振幅の中心電位は電位Ｖｃｎｔである。いわゆるプッシュダウン（フィードスルー）の影響を考慮し、コモン電圧ＬＣｃｏｍは、中心電位Ｖｃｎｔよりも低い値に設定されている。
【００４１】
なお図８では図面を簡略化するため時間比が１、すなわち、正極性電圧の印加時間と負極性電圧の印加時間とが等しい例を示しているが、実際には、時間比は１ではなく、正極性電圧の印加時間と負極性電圧の印加時間とは異なっている。
【００４２】
図９は、電子機器１の動作を示すフローチャートである。ステップＳ１００において、画像処理回路１０は、点灯時間を調整するためのオフセット時間ｔ１を設定する。時間ｔ１は、例えば次式（２）によって決められる。
ｔ１＝｛ｔｐ＋ｔｎ−（ｔｏｎｐ＋ｔｏｎｎ）｝／２  …（２）
ここで、ｔｐおよびｔｎはそれぞれ正極性および負極性の電圧が印加される時間を、ｔｏｎｐは正極性フィールドにおいて光源４０を点灯させる時間を、ｔｏｎｎは負極性フィールドにおいて光源４０を点灯させる時間を、それぞれ示す。この例では、ｔｏｎｎ＝ｔｏｎｐである。時間ｔｐおよびｔｎは、次式（３）および（４）で示されるように、フレーム周波数、駆動の速度、および時間比に応じて決まる。
ｔｐ＋ｔｎ＝ｔｆ／（ｎ／２）  …（３）
ｔｐ／ｔｎ＝ｒ  …（４）
ここで、ｔｆは１フレームの時間（例えばフレーム周波数６０Ｈｚの場合、１６．７ミリ秒）を示す。ｎは駆動速度（例えば４倍速ならｎ＝４）を示す。ｒは時間比を示す。
【００４３】
ステップＳ１１０において、画像処理回路１０は、極性反転信号ＩｐがＬレベルであるか判断する。極性反転信号ＩｐがＬレベルであると判断された場合（Ｓ１１０：ＹＥＳ）、画像処理回路１０は、処理をステップＳ１３０に移行する。極性反転信号ＩｐがＨレベルであると判断された場合（Ｓ１１０：ＮＯ）、画像処理回路１０は、処理をステップＳ１２０に移行する。
【００４４】
ステップＳ１２０において、画像処理回路１０は、極性反転信号ＩｐがＬレベルからＨレベルに変わってから、時間ｔ１が経過したか判断する。極性反転信号ＩｐがＨレベルに変わってから時間ｔ１が経過したと判断された場合（Ｓ１２０：ＹＥＳ）、画像処理回路１０は、処理をステップＳ１３０に移行する。極性反転信号ＩｐがＨレベルに変わってから時間ｔ１が経過していないと判断された場合（Ｓ１２０：ＮＯ）、画像処理回路１０は、処理をステップＳ１１０に移行する。
【００４５】
ステップＳ１３０において、画像処理回路１０は、Ｈレベルの光源制御信号Ｐｃｔｌを出力する。ステップＳ１４０において、画像処理回路１０は、光源制御信号ＰｃｔｌがＨレベルに変わってから時間ｔｏｎが経過したか判断する。光源制御信号ＰｃｔｌがＨレベルに変わってから時間ｔｏｎが経過したと判断された場合（Ｓ１４０：ＹＥＳ）、画像処理回路１０は、処理をステップＳ１５０に移行する。光源制御信号ＰｃｔｌがＨレベルに変わってから時間ｔｏｎが経過していないと判断された場合（Ｓ１４０：ＮＯ）、画像処理回路１０は、Ｈレベルの光源制御信号Ｐｃｔｌを出力し続ける（ステップＳ１３０）。
【００４６】
ステップＳ１５０において、画像処理回路１０は、Ｌレベルの光源制御信号Ｐｃｔｌを出力する。ステップＳ１６０において、画像処理回路１０は、極性反転信号ＩｐがＨレベルであるか判断する。極性反転信号ＩｐがＨレベルであると判断された場合（Ｓ１６０：ＹＥＳ）、画像処理回路１０は、Ｌレベルの光源制御信号Ｐｃｔｌを出力し続ける（ステップＳ１５０）。極性反転信号ＩｐがＬレベルであると判断された場合（Ｓ１６０：ＮＯ）、画像処理回路１０は、処理をステップＳ１３０に移行する。
【００４７】
図１０は、本実施形態に係る光源の点灯制御を示すタイミングチャートである。図１０には、極性反転信号Ｉｐおよび光源制御信号Ｐｃｔｌが示されている。液晶パネル１００においては、極性反転信号ＩｐがＨレベルのときは正極性電圧が、極性反転信号ＩｐがＬレベルのときは負極性電圧が印加される。また、光源駆動回路３０は、光源制御信号ＰｃｔｌがＨレベルのときは光源４０を点灯させ、光源制御信号ＰｃｔｌがＬレベルのときは光源４０を消灯させる。図１０の例では、１フレームの間に正極性電圧および負極性電圧を印加するサイクルが１回繰り返される。また、図１０の例では、時間比は正極性に大きく偏っている。各フレームの始期から時間ｔ１が経過すると、光源制御信号ＰｃｔｌがＨレベルとなり光源が点灯する。光源は、時間ｔｏｎの間、継続して点灯し、時間ｔｏｎが経過すると消灯する。
【００４８】
以上で説明したように本実施形態によれば、正極性フィールドおよび負極性フィールドにおいて、光源４０が点灯する時間を等しく、かつ一定の周期で点灯することができる。したがって、電子機器１によれば、正極性フィールドおよび負極性フィールドの時間長が異なることに起因する表示不良が低減される。
【００４９】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００５０】
４−１．変形例１
電子機器１は、特定の条件が満たされたとき、例えば映像信号Ｖｉｄ−ｉｎが動画を示している場合に光源４０を消灯させる制御を行い、それ以外の場合、例えば映像信号Ｖｉｄ−ｉｎが静止画を示している場合に光源４０を消灯させない（点灯させ続ける）制御を行ってもよい。別の例で、電子機器１は、正極性フィールドおよび負極性フィールドで異なる画像が表示される場合に光源４０を消灯させる制御を行い、正極性フィールドおよび負極性フィールドで同じ画像が表示される場合に光源４０を消灯させない（点灯させ続ける）制御を行ってもよい。さらに別の例で、正極性フィールドおよび負極性フィールドの時間長の差がしきい値（例えば５５％）以上である場合には光源４０を消灯させる制御を行い、しきい値未満である場合には光源４０を消灯させない（点灯させ続ける）制御を行ってもよい。
【００５１】
４−２．変形例２
電子機器１は、与えられた条件に応じて正極性フィールドおよび負極性フィールドの時間比を適応的に変化させてもよい。例えば、電子機器１は、液晶パネル１００において実際に発生しているフリッカーを測定するためのセンサーを有し、センサーによる測定結果に応じてフリッカーを低減するように時間比を変化させてもよい。この場合において、時間比の可変範囲には上限および下限が設けられ、光源４０を継続して点灯する時間ｔｏｎは、正極性フィールドおよび負極性フィールドの時間長の可変範囲に応じて決定されてもよい。具体的には、時間ｔｏｎは、正極性フィールドおよび負極性フィールドの最小値以上の時間、光源４０を継続して点灯する値に設定されてもよい。なお、時間比を変化させるための条件は、フリッカーの測定によるものに限定されない。例えば、電子機器１は、動作モード（例えば通常モードとフリッカー低減モード）、駆動条件（環境温度）などに応じて時間比を変化させてもよい。
【００５２】
４−３．変形例３
実施形態においては、正極性フィールドにおいて光源４０を点灯させる時間ｔｏｎｐと負極性フィールドにおいて光源４０を点灯させる時間ｔｏｎｎとが同じ時間長である例を説明したが、時間ｔｏｎｐと時間ｔｏｎｎとは異なっていてもよい。また、電子機器１は、条件に応じて、時間ｔｏｎｐと時間ｔｏｎｎとが同一であるモードと、時間ｔｏｎｐと時間ｔｏｎｎとが異なるモードとを切り替えてもよい。この条件としては、たとえは変形例１で説明したものが用いられる。
【００５３】
４−４．変形例４
図１１は、変形例４に係る、光源４０の点灯および消灯のタイミング制御を例示する図である。光源４０の点灯および消灯のタイミング制御の具体例は、図９および図１０で説明したものに限定されない。この例では、正極性フィールドと負極性フィールドとで連続して、光源４０が点灯し続ける。すなわち、正極性フィールドと負極性フィールドとが切り替わったときに、光源４０の点灯／消灯が切り替わらない。この例によれば、光源の制御は図１０の例より低速で行うことができるので、回路の負荷が低減される。
【００５４】
４−５．変形例５
図１２は、変形例５に係る、光源４０の点灯および消灯のタイミング制御を例示する図である。この例では、極性反転信号ＩｐがＬレベルになってから時間ｔ２が経過したときに、光源制御信号ＰｃｔｌがＨレベルに変化する。すなわち、正極性フィールドおよび負極性フィールドのうち短い方（この例では負極性フィールド）の一部においても、光源４０が消灯される。例えば、光源４０が点灯している時間ｔｏｎが時間比によらず一定である場合を考える。ここで、負極性フィールドの時間の最小値に合わせて時間ｔｏｎを設計した場合において、負極性フィールドの時間が最小値よりも大きいときは、負極性フィールドの一部において光源４０が消灯される。
【００５５】
４−６．他の変形例
電子機器１のハードウェア構成は図７で説明したものに限定されない。例えば、実施形態において画像処理回路１０が有していた機能の少なくとも一部を、画像処理回路１０とは別のハードウェア要素が有していてもよい。
【００５６】
電子機器１は、実施形態で例示したプロジェクターの他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【００５７】
液晶１０５は、ＶＡ液晶に限定されない。ＴＮ液晶等、ＶＡ液晶以外の液晶が用いられてもよい。また、液晶１０５は、ノーマリーホワイトモードの液晶であってもよい。また、液晶以外の電気光学素子が用いられてもよい。
実施形態で説明したパラメーター（例えば、階調数、フレーム周波数、画素数など）および信号の極性やレベルはあくまで例示であり、本発明はこれに限定されない。
【符号の説明】
【００５８】
１…電子機器、１０…画像処理回路、２０…電源、３０…光源駆動回路、４０…光源、６０…投射レンズ、７０…ＭＣＵ、１００…液晶パネル、１０５…液晶、１０８…コモン電極、１１１…画素、１１２…走査線、１１４…データ線、１１５…容量線、１１６…ＴＦＴ、１１８…画素電極、１２０…液晶素子、１２５…保持容量、１３０…走査線駆動回路、１４０…データ線駆動回路
【図１】
2014160110.tif 000003
【図２】
2014160110.tif 000004
【図３】
2014160110.tif 000005
【図４】
2014160110.tif 000006
【図５】
2014160110.tif 000007
【図６】
2014160110.tif 000008
【図７】
2014160110.tif 000009
【図８】
2014160110.tif 000010
【図９】
2014160110.tif 000011
【図１０】
2014160110.tif 000012
【図１１】
2014160110.tif 000013
【図１２】
2014160110.tif 000014